(57)【要約】【課題】引出し位置において実質的な大きな開口部分を確保できるのみならず、重い物を収納した際の大きな荷重をも確実に支持することができる収納ケースを得る。【解決手段】収納ケース１０の前面パネル１４は、ケース本体１２に対し上下にスライド移動可能であり、しかも、前面パネル１４がスライド下端位置に達し床面Ｆに当接した状態では、ケース本体１２の荷重が、巻掛け部２０及びロープ１６及び巻掛け部２２を介して前面パネル１４に伝達されて、ケース本体１２の荷重を床面Ｆ上で支持できる。したがって、重いものがケース本体１２内に収納された場合であっても、この大きな荷重を確実に支持することができ、ケース本体１２が不要に撓んだりガタ付くことが防止される。【選択図】図２
2009234457.tif 000002
【特許請求の範囲】
【請求項１】
設置箇所の基台に対し収納位置と引出位置との間で前後にスライド移動可能に設けられたケース本体と、
前記ケース本体の手前側後端部に設けられ、前記ケース本体の引出し状態で前記ケース本体に対し上下にスライド移動可能とされ、スライド下端位置では前記基台に当接して前記ケース本体の荷重を支持する前面パネルと、
を備えた収納ケース。
【請求項２】
前記基台と前記前面パネルとを連結し、前記ケース本体の前記前後スライド移動に連動して前記前面パネルを前記上下スライド移動させるスライド連動機構を有する、
ことを特徴と請求項１記載の収納ケース。
【請求項３】
前記スライド連動機構は、一端が前記基台に連結され他端が前記前面パネルに連結されて配索され張力によって前記連動させる可撓性長尺体と、前記連動時における前記可撓性長尺体の配索長さを吸収調整する配索調整部と、を有する、
ことを特徴と請求項２記載の収納ケース。
【請求項４】
前記ケース本体の前記前後スライド移動を補助する前後スライド補助手段を有することを特徴とする請求項１乃至請求項３の何れか１項に記載の収納ケース。
【請求項５】
前記前面パネルの前記上下スライド移動を補助する上下スライド補助手段を有することを特徴とする請求項１乃至請求項４の何れか１項に記載の収納ケース。
【発明の詳細な説明】
【技術分野】
【０００１】
本発明は、自動車等の車両に適用される収納ケースに関する。
【背景技術】
【０００２】
自動車等の車両においては、例えばインストルメントパネルに引出し式の収納ケース（物入れ、トレイ）が設けられたものがある。この種の収納ケースは、一般的に、ケースがガイドレール等によってスライド可能に設けられており、通常は車両前方側に押し込まれた収納位置に格納されている。さらに、乗員が必要に応じて手前側の引出位置に引き出すことで、ケース内が大きく開放露出して、物入れとして使用することができるようになっている。
【０００３】
ところで、このような収納ケースは、使用の際の利便性を考慮すると、引出位置に引き出された状態ではケースの実質的な開口部分が大きいほうがよい。このため、引出し位置でケース（トレイ）の実質的な開口部分を大きく確保できるように工夫したものが提案されている（例えば、特許文献１参照）。
【０００４】
前記特許文献に提案された収納トレイでは、トレイに設けられた摺動ピンがガイドレールに形成されたガイド溝に入り込んで支持されており、トレイを引き出すと、このトレイが斜め下方へせり出す構成である。このため、トレイの引出し位置では、トレイの実質的な開口部分が大きくなって、使用時の利便性が向上する。
【０００５】
しかしながら、前記特許文献１に示す如き従来の収納ケース（トレイ）では、ガイド溝に入り込んだ摺動ピンによってトレイの全荷重を支持する構成であるため、換言すれば、トレイを引き出した状態における支持構成が所謂「片持ち支持」であるため、重たい物を収納した状態で引き出すと、トレイが不要に撓んだりガタ付いてしまう。
【０００６】
したがって、収納ケース（トレイ）が不要に撓んだりガタ付かないように所定の強度や剛性を確保するためには、ガイドレールや摺動ピンを大型化したり高強度な材料を使用する必要が生じ、部材重量が増加したりコスト高になる問題があった。
【０００７】
【特許文献１】特開２００７−３３１６９３号公報
【発明の開示】
【発明が解決しようとする課題】
【０００８】
本発明は上記事実を考慮し、引出し位置において実質的な大きな開口部分を確保できるのみならず、重い物を収納した際の大きな荷重をも確実に支持することができる収納ケースを得ることが目的である。
【課題を解決するための手段】
【０００９】
請求項１に係る発明の収納ケースは、設置箇所の基台に対し収納位置と引出位置との間で前後にスライド移動可能に設けられたケース本体と、前記ケース本体の手前側後端部に設けられ、前記ケース本体の引出し状態で前記ケース本体に対し上下にスライド移動可能とされ、スライド下端位置では前記基台に当接して前記ケース本体の荷重を支持する前面パネルと、を備えている。
【００１０】
請求項１記載の収納ケースでは、通常は設置箇所の基台部分にケース本体が押し込まれて収納された収納位置となっており、使用に際しては、ケース本体を前面パネルと共に手前側に引き出して使用する。このケース本体の引出し状態においては、前面パネルがケース本体に対し上下にスライド移動可能でありこの前面パネルを下方へスライド移動させることで、ケース本体内が大きく露出して実質的に大きな開口部分が確保される。したがって、物を出し入れする利便性が向上する。
【００１１】
しかも、このケース本体の引出し状態では、前面パネルがスライド下端位置となることで該前面パネルが基台に当接し、ケース本体の荷重が支持される。すなわち、ケース本体の手前側後端部が前面パネルによって実質的に支持される。したがって、重いものがケース本体内に収納された場合であっても、この大きな荷重を確実に支持することができ、ケース本体が不要に撓んだりガタ付くことが防止される。
【００１２】
このように、請求項１記載の収納ケースでは、引出し位置において実質的な大きな開口部分を確保できるのみならず、重い物を収納した際の大きな荷重をも確実に支持することができる。
【００１３】
請求項２に係る発明の収納ケースは、請求項１記載の収納ケースにおいて、前記基台と前記前面パネルとを連結し、前記ケース本体の前記前後スライド移動に連動して前記前面パネルを前記上下スライド移動させるスライド連動機構を有する、ことを特徴としている。
【００１４】
請求項２記載の収納ケースでは、ケース本体を前面パネルと共に前後スライド移動させると、スライド連動機構の作動により、ケース本体の前後スライド移動に連動して前面パネルが上下スライド移動される。すなわち、使用に際してケース本体を手前側に引き出すと、これに連動して前面パネルが下方へスライド移動され、ケース本体内が大きく露出して実質的に大きな開口部分が確保される。したがって、物を出し入れする利便性が向上する。
【００１５】
ケース本体を最も手前側に引き出すと、前面パネルがスライド下端位置となることで該前面パネルが基台に当接し、ケース本体の荷重が支持される。すなわち、ケース本体の手前側後端部が前面パネルによって実質的に支持される。したがって、重いものがケース本体内に収納された場合であっても、この大きな荷重を確実に支持することができ、ケース本体が不要に撓んだりガタ付くことが防止される。
【００１６】
このように、請求項２記載の収納ケースでは、引出し位置において実質的な大きな開口部分を確保できるのみならず、重い物を収納した際の大きな荷重をも確実に支持することができ、しかも、スライド連動機構の作動によりケース本体の前後スライド移動に連動して前面パネルが上下スライド移動されるため、操作性が大幅に向上する。
【００１７】
なお、スライド連動機構としては、ロープ、ワイヤ、あるいはベルト等の可撓性長尺体、リンク機構、ギヤ機構、モータ機構、等によって構成することができる。
【００１８】
請求項３に係る発明の収納ケースは、請求項２記載の収納ケースにおいて、前記スライド連動機構は、一端が前記基台に連結され他端が前記前面パネルに連結されて配索され張力によって前記連動させる可撓性長尺体と、前記連動時における前記可撓性長尺体の配索長さを吸収調整する配索調整部と、を有する、ことを特徴としている。
【００１９】
請求項３記載の収納ケースでは、スライド連動機構は可撓性長尺体及び配索調整部を有しており、スライド連動機構の作動時には、ケース本体を前面パネルと共に前後スライド移動させると、ケース本体の前後スライド移動力が可撓性長尺体を介して前面パネルに伝達され、ケース本体の前後スライド移動に連動して前面パネルが上下スライド移動される。しかもこの際には、ケース本体及び前面パネルの移動に伴う可撓性長尺体の配索が、配索調整部によって調整され（例えば、可撓性長尺体の弛みが吸収され）、可撓性長尺体による移動力の伝達はスムーズに行われる。
【００２０】
このように、請求項３記載の収納ケースでは、ケース本体の前後スライド移動に連動して前面パネルを上下スライド移動させるスライド連動機構を、可撓性長尺体及び配索調整部による簡単な構成で実現することができる。
【００２１】
請求項４に係る発明の収納ケースは、請求項１乃至請求項３の何れか１項に記載の収納ケースにおいて、前記ケース本体の前記前後スライド移動を補助する前後スライド補助手段を有することを特徴としている。
【００２２】
請求項４記載の収納ケースでは、ケース本体を前面パネルと共に手前側に引き出して使用する際に、前後スライド補助手段によってケース本体の前後スライド移動が補助される。したがって、より一層スムーズにケース本体を操作することができ、操作性がより一層向上する。
【００２３】
なお、前後スライド補助手段としては、例えば、一端がケース本体に係止され他端が基台に係止された「ゼンマイばね」によって構成することができる。
【００２４】
請求項５に係る発明の収納ケースは、請求項１乃至請求項４の何れか１項に記載の収納ケースにおいて、前記前面パネルの前記上下スライド移動を補助する上下スライド補助手段を有することを特徴としている。
【００２５】
請求項５記載の収納ケースでは、前面パネルをケース本体と共に手前側に引き出して使用する際に、上下スライド補助手段によって前面パネルの上下スライド移動が補助される。したがって、より一層スムーズに前面パネルを操作することができ、操作性がより一層向上する。
【００２６】
なお、上下スライド補助手段としては、例えば、一端がケース本体に係止され他端が前面パネルに係止された「ゼンマイばね」によって構成することができる。
【発明の効果】
【００２７】
請求項１に係る発明の収納ケースは、引出し位置において実質的な大きな開口部分を確保できて物を出し入れする利便性が向上するのみならず、重い物を収納した際の大きな荷重をも確実に支持することができるという優れた効果を有している。
【００２８】
請求項２に係る発明の収納ケースは、請求項１に係る発明の収納ケースが有する優れた効果に加えて、スライド連動機構の作動により操作性が大幅に向上するという優れた効果を有している。
【００２９】
請求項３に係る発明の収納ケースは、請求項２に係る発明の収納ケースが有する優れた効果に加えて、スライド連動機構を可撓性長尺体及び配索調整部による簡単な構成で実現することができるという優れた効果を有している。
【００３０】
請求項４に係る発明の収納ケースは、請求項１乃至請求項３の何れか１項に記載の収納ケースが有する優れた効果に加えて、前後スライド補助手段によってケース本体の前後スライド移動がより一層スムーズになり、操作性がより一層向上するという優れた効果を有している。
【００３１】
請求項５に係る発明の収納ケースは、請求項１乃至請求項４の何れか１項に記載の収納ケースが有する優れた効果に加えて、上下スライド補助手段によって前面パネルの上下スライド移動がより一層スムーズになり、操作性がより一層向上するという優れた効果を有している。
【発明を実施するための最良の形態】
【００３２】
以下、図１乃至図６を用いて、本発明の各実施形態について説明する。なお、各図においては、説明上、各部品を全て実線にて示してある。
【００３３】
図１（Ａ）には、本発明の第１実施形態に係る収納ケース１０の「収納位置」における構成が概略的な側面図にて示されており、図１（Ｂ）には、この収納ケース１０の「収納位置」における構成が概略的な正面図（中心線ＣＬを境に略左半分）にて示されている。また、図２（Ａ）には、収納ケース１０の「引出位置」における構成が概略的な側面図にて示されており、図２（Ｂ）には、収納ケース１０の「引出位置」における構成が概略的な正面図（中心線ＣＬを境に略左半分）にて示されている。
【００３４】
収納ケース１０は、車両のインストルメントパネルに設置されている。すなわち、設置箇所の基台Ｄは手前側（図１（Ａ）及び図２（Ａ）の右方側）に開口する腔孔状に設けられており、この基台Ｄの腔孔内に収納ケース１０が配置されている。
【００３５】
収納ケース１０は、ケース本体１２及び前面パネル１４を備えている。ケース本体１２は箱状に形成されており、基台Ｄに対し「収納位置」（図１（Ａ）及び図１（Ｂ）図示状態）と「引出位置」（図２（Ａ）及び図２（Ｂ）図示状態）との間で前後にスライド移動可能に設けられている。
【００３６】
一方、収納ケース１０の前面パネル１４は、基台Ｄの腔孔の開口に対応した大きさに形成されており、ケース本体１２の手前側後端部に設けられてケース本体１２と一体的に前後スライド移動する。これにより、ケース本体１２及び前面パネル１４が基台Ｄに対して「収納位置」では、前面パネル１４が基台Ｄの腔孔の開口を閉鎖できる。
【００３７】
またここで、前面パネル１４は、ケース本体１２に対し、上下にスライド移動可能とされている。すなわち、ケース本体１２を引出した状態で前面パネル１４はケース本体１２に対し上下にスライド移動可能であり、しかも、スライド下端位置では基台Ｄの床面Ｆに当接するように各部の寸法が設定されている。なおこの場合、前面パネル１４のスライド下端位置において床面Ｆとの間に僅かな隙間（例えば、２〜３ｍｍ）があっても、上からの荷重によって各部の弾性範囲内の「反り」で床面Ｆに当接するようにしてもよい。以下の説明においては、前記何れの態様も「床面Ｆに当接する」と記載して説明する。前面パネル１４が下方にスライド移動してスライド下端位置に達し床面Ｆに当接した状態では、この前面パネル１４が後述するロープ１６と共働してケース本体１２の荷重を支持できる構成となっている。
【００３８】
また、収納ケース１０は、スライド連動機構を構成する可撓性長尺体としてのロープ１６を備えている。ロープ１６は、一端が基台Ｄの固定点１８に連結されており、中間部分が、ケース本体１２に設けられた巻掛け部２０に巻き掛けられた後に、さらに、前面パネル１４に設けられた巻掛け部２２に巻き掛けられて前面パネル１４の中央内部に達している。
【００３９】
前面パネル１４の中央内部には、スライド連動機構を構成する配索調整部２４が設けられている。配索調整部２４は、前面パネル１４内に収容配置されており、巻付け回転体２６及び捻りコイルスプリング２８を有している。巻付け回転体２６は、例えば中空円筒形のパイプ状に形成されており、支軸３０によって回転自在に支持されている。また、支軸３０には捻りコイルスプリング２８が巻装されており、常に巻付け回転体２６を一定方向に付勢している。この巻付け回転体２６内に、前述したロープ１６の中間部分が挿通されて配索されている。
【００４０】
さらに、巻付け回転体２６内に配索されたロープ１６の他端側は、前面パネル１４及びケース本体１２の反対側において前述した配索状態と同様に配索された後に、基台Ｄに連結されている。すなわち、ロープ１６は、左右対称の配索状態とされた連続した１本で構成されている。
【００４１】
以上の構成により、ケース本体１２の前後スライド移動がロープ１６の張力によって前面パネル１４に伝達され、ケース本体１２の前後スライド移動に連動して前面パネル１４が上下スライド移動されるようになっており、さらにこの際にロープ１６に生じる配索長さの変動（弛み）を、巻付け回転体２６が追従して回転することで吸収調整するようになっている。またしかも、前面パネル１４が下方にスライド移動してスライド下端位置に達し床面Ｆに当接した状態では、ケース本体１２の荷重が、巻掛け部２０及びロープ１６及び巻掛け部２２を介して前面パネル１４に伝達されて、ケース本体１２の荷重を床面Ｆ上で支持できる構成となっている。
【００４２】
以下に、本第１実施形態の作用並びに効果について説明する。
【００４３】
上記構成の収納ケース１０においては、通常はインストルメントパネルの基台Ｄにケース本体１２が押し込まれて収納された「収納位置」となっており、前面パネル１４は基台Ｄの腔孔の開口を閉鎖している（図１（Ａ）及び図１（Ｂ）図示状態）。
【００４４】
収納ケース１０の使用に際しては、ケース本体１２を前面パネル１４と共に手前側に引き出して使用する。ケース本体１２を前面パネル１４と共に前後スライド移動させると、スライド連動機構の作動により、ケース本体１２の前後スライド移動に連動して前面パネル１４が上下スライド移動される。すなわち、ケース本体１２を手前側に引き出すと、ケース本体１２の前後スライド移動がロープ１６の張力によって前面パネル１４に伝達され、ケース本体１２の前後スライド移動に連動して前面パネル１４が、図２（Ａ）に矢印Ｘにて示す移動軌跡を通って、前後スライド移動しながら上下スライド移動されて（手前側に引き出されながら下方へ降下し）「引出位置」となる（図２（Ａ）及び図２（Ｂ）図示状態）。さらにこの際には、ロープ１６に生じる配索長さの変動（弛み）は、巻付け回転体２６が追従して回転することで吸収調整され、ロープ１６による移動力の伝達はスムーズに行われる。
【００４５】
ケース本体１２の「引出位置」では、前面パネル１４が下方へスライド移動されてケース本体１２内が大きく露出して実質的に大きな開口部分が確保される。したがって、物を出し入れする利便性が向上する。
【００４６】
ケース本体１２を最も手前側に引き出すと、前面パネル１４がスライド下端位置となることでこの前面パネル１４が基台Ｄの床面Ｆに当接する（図２（Ａ）及び図２（Ｂ）図示状態）。この前面パネル１４がスライド下端位置に達し床面Ｆに当接した状態では、ケース本体１２の荷重が巻掛け部２０及びロープ１６及び巻掛け部２２を介して前面パネル１４に伝達されて、ケース本体１２の荷重が床面Ｆ上で支持される。すなわち、ケース本体１２の手前側後端部が前面パネル１４によって実質的に支持された状態となる。したがって、重いものがケース本体１２内に収納された場合であっても、この大きな荷重を確実に支持することができ、ケース本体１２が不要に撓んだりガタ付くことが防止される。
【００４７】
またさらに、例えば床面Ｆに所謂「用品マット」等が敷かれているような場合であっても、当該「用品マット」の上面高さに応じて前面パネル１４が移動して当該「用品マット」上に当接して、同様に荷重を支持することができる。この場合、前面パネル１４の下方へのスライド移動量が「用品マット」の厚さに応じて減少することになり、すなわちケース本体１２の引出し量が多少減少することになるが、実質的な使用に影響は無く、利便性が損なわれることは無い。このように、収納ケース１０は、床面Ｆ上の他の部材に影響され難く、適用の範囲も拡大する。
【００４８】
以上説明した如く、本第１実施形態に係る収納ケース１０では、引出し位置においてケース本体１２の実質的な大きな開口部分を確保できるのみならず、重い物を収納した際の大きな荷重をも確実に支持することができ、しかも、スライド連動機構の作動によりケース本体１２の前後スライド移動に連動して前面パネル１４が上下スライド移動されるため、操作性が大幅に向上する。またさらに、ケース本体１２の前後スライド移動に連動して前面パネル１４を上下スライド移動させるスライド連動機構を、可撓性長尺体（ロープ１６）及び配索調整部２４による簡単な構成で実現することができる。
【００４９】
次に、本発明の他の実施形態を説明する。
【００５０】
なお、前記第１実施形態と基本的に同一の部品には、前記第１実施形態と同一の符号を付与してその説明を省略する。
【００５１】
図３（Ａ）には、本発明の第２実施形態に係る収納ケース４０の「収納位置」における構成が概略的な側面図にて示されており、図３（Ｂ）には、この収納ケース４０の「収納位置」における構成が概略的な正面図（中心線ＣＬを境に略左半分）にて示されている。また、図４（Ａ）には、収納ケース４０の「引出位置」における構成が概略的な側面図にて示されており、図４（Ｂ）には、収納ケース４０の「引出位置」における構成が概略的な正面図（中心線ＣＬを境に略左半分）にて示されている。
【００５２】
収納ケース４０は、前述した第１実施形態に係る収納ケース１０と基本的に同一の構成とされているが、さらに、ケース本体１２の前後スライド移動を補助する前後スライド補助手段としてのゼンマイばね４２を備えている。ゼンマイばね４２は、一端がケース本体１２に係止されると共に、他端が係止点４４にて基台Ｄに係止されており、常にケース本体１２を引出し方向（図３（Ａ）及び図４（Ａ）の右方向）へ付勢している。さらに、収納ケース４０は、前面パネル１４の上下スライド移動を補助する上下スライド補助手段としてのゼンマイばね４６を備えている。ゼンマイばね４６は、一端がケース本体１２に係止されると共に、他端が係止点４８にて前面パネル１４に係止されており、常に前面パネル１４を上方向（図３（Ａ）及び図４（Ａ）の上方向）へ付勢している。
【００５３】
さらに、収納ケース４０は、ロックボタン５０を備えている。ロックボタン５０は、前面パネル１４の上端縁に対応して基台Ｄの腔孔の開口上部に設けられており、ロック操作または解除操作することで前面パネル１４を係止または開放することができる。
【００５４】
以下に、本第２実施形態の作用並びに効果について説明する。
【００５５】
上記構成の収納ケース４０においては、通常はインストルメントパネルの基台Ｄにケース本体１２が押し込まれて収納された「収納位置」となっており、前面パネル１４は基台Ｄの腔孔の開口を閉鎖している。さらに、ロックボタン５０は前面パネル１４に係合して開閉動作をロックしている（図３（Ａ）及び図３（Ｂ）図示状態）。
【００５６】
収納ケース４０の使用に際しては、ロックボタン５０を解除操作して前面パネル１４を開放し、ケース本体１２を前面パネル１４と共に手前側に引き出して使用する。
【００５７】
ケース本体１２を前面パネル１４と共に前後スライド移動させると、前述した第１実施形態に係る収納ケース１０と同様に、スライド連動機構（ロープ１６等）の作動により、ケース本体１２の前後スライド移動に連動して前面パネル１４が上下スライド移動される。
【００５８】
この収納ケース４０においても、ケース本体１２の「引出位置」では、前面パネル１４が下方へスライド移動されてケース本体１２内が大きく露出して実質的に大きな開口部分が確保される。したがって、物を出し入れする利便性が向上する。
【００５９】
また、ケース本体１２を最も手前側に引き出すと、前面パネル１４がスライド下端位置となることでこの前面パネル１４が基台Ｄの床面Ｆに当接する（図４（Ａ）及び図４（Ｂ）図示状態）。これにより、前述した第１実施形態に係る収納ケース１０と同様に、ケース本体１２の手前側後端部が前面パネル１４によって実質的に支持された状態となり、重いものがケース本体１２内に収納された場合であっても、この大きな荷重を確実に支持することができ、ケース本体１２が不要に撓んだりガタ付くことが防止される。
【００６０】
さらにここで、この収納ケース４０では、ケース本体１２を前面パネル１４と共に引き出して使用する際には、ケース本体１２がゼンマイばね４２によって引出し方向へ付勢されてケース本体１２の前後スライド移動が補助されるため、より一層スムーズにケース本体１２を操作することができ、操作性がより一層向上する。また一方、ケース本体１２を前面パネル１４と共に奥側に押し戻して収納する際には、前面パネル１４がゼンマイばね４６によって上方向に付勢されて前面パネル１４の上下スライド移動が補助されるため、より一層スムーズに前面パネル１４を操作することができ、同様に操作性がより一層向上する。
【００６１】
以上説明した如く、本第２実施形態に係る収納ケース４０では、引出し位置においてケース本体１２の実質的な大きな開口部分を確保できるのみならず、重い物を収納した際の大きな荷重をも確実に支持することができ、しかも、スライド連動機構の作動によりケース本体１２の前後スライド移動に連動して前面パネル１４が上下スライド移動されるため、操作性が大幅に向上する。
【００６２】
またしかも、ゼンマイばね４２及びゼンマイばね４６によってケース本体１２の前後スライド移動及び前面パネル１４の上下スライド移動がより一層スムーズになり、操作性がより一層向上する。
【００６３】
次に、図５（Ａ）には、本発明の第３実施形態に係る収納ケース６０の「収納位置」における構成が概略的な側面図にて示されており、図５（Ｂ）には、この収納ケース６０の「収納位置」における構成が概略的な正面図（中心線ＣＬを境に略左半分）にて示されている。また、図６（Ａ）には、収納ケース６０の「引出位置」における構成が概略的な側面図にて示されており、図６（Ｂ）には、収納ケース６０の「引出位置」における構成が概略的な正面図（中心線ＣＬを境に略左半分）にて示されている。
【００６４】
収納ケース６０、前述した第１実施形態に係る収納ケース１０と基本的に同じ構成であるが、第１実施形態における前面パネル１４の中央内部に配置されたスライド連動機構を構成する配索調整部２４に代えて、配索調整部６２が設けられている。この配索調整部６２は、ケース本体１２下方の基台Ｄに設けられており、配索調整部２４と同様にロープ１６に生じる配索長さの変動（弛み）を、ロープ１６の固定点６４の側において吸収調整するようになっている。
【００６５】
以下に、本第３実施形態の作用並びに効果について説明する。
【００６６】
上記構成の収納ケース６０においても、通常はインストルメントパネルの基台Ｄにケース本体１２が押し込まれて収納された「収納位置」となっており、前面パネル１４は基台Ｄの腔孔の開口を閉鎖している（図５（Ａ）及び図５（Ｂ）図示状態）。
【００６７】
収納ケース６０の使用に際しては、ケース本体１２を前面パネル１４と共に手前側に引き出して使用する。ケース本体１２を前面パネル１４と共に前後スライド移動させると、前述した第１実施形態に係る収納ケース１０と同様に、スライド連動機構（ロープ１６等）の作動により、ケース本体１２の前後スライド移動に連動して前面パネル１４が上下スライド移動される。さらにこの際には、ロープ１６に生じる配索長さの変動（弛み）は、配索調整部６２によって固定点６４の側で吸収調整され、ロープ１６による移動力の伝達はスムーズに行われる。
【００６８】
この収納ケース４０においても、ケース本体１２の「引出位置」では、前面パネル１４が下方へスライド移動されてケース本体１２内が大きく露出して実質的に大きな開口部分が確保される。したがって、物を出し入れする利便性が向上する。
【００６９】
また、ケース本体１２を最も手前側に引き出すと、前面パネル１４がスライド下端位置となることでこの前面パネル１４が基台Ｄの床面Ｆに当接する（図６（Ａ）及び図６（Ｂ）図示状態）。これにより、前述した第１実施形態に係る収納ケース１０と同様に、ケース本体１２の手前側後端部が前面パネル１４によって実質的に支持された状態となり、重いものがケース本体１２内に収納された場合であっても、この大きな荷重を確実に支持することができ、ケース本体１２が不要に撓んだりガタ付くことが防止される。
【００７０】
なお、前述した第１実施形態乃至第３実施形態においては、スライド連動機構を構成する可撓性長尺体として、ロープ１６を適用した構成として説明したが、可撓性長尺体としてはこれに限るものではなく、他の同等部材、例えば「ワイヤ」、「糸」や「紐」あるいは「ベルト」等を適用して構成してもよい。この場合であっても、前記各実施形態におけるロープ１６と同様の作用効果を得ることができる。
【００７１】
また、例えば可撓性長尺体として幅広の帯状の「ベルト」を適用して構成した場合に、ケース本体１２及び前面パネル１４の幅方向中央部分に単一（１本）の「ベルト」を設けるように構成することもできる。
【００７２】
またさらに、前述した第１実施形態乃至第３実施形態においては、スライド連動機構として、可撓性長尺体（ロープ１６）と配索調整部２４を適用した構成として説明したが、スライド連動機構としてはこれに限るものではなく、他の同等手段、例えば、リンク機構、ギヤ機構、モータ機構、等によってスライド連動機構を構成してもよい。
【００７３】
さらに、前記各実施形態におけるスライド連動機構に代えて、手動式の構成としてもよい。すなわち、ケース本体１２に対し前面パネル１４をスライド移動可能でかつ所定位置で手動ロックできるように構成することができる。この場合であっても、前面パネル１４が基台Ｄの床面Ｆに当接した状態で前面パネル１４を手動ロックすれば、前述した各実施形態に係る収納ケース１０等と同様に、ケース本体１２の手前側後端部が前面パネル１４によって実質的に支持された状態となり、重いものがケース本体１２内に収納された場合であっても、この大きな荷重を確実に支持することができ、ケース本体１２が不要に撓んだりガタ付くことが防止される。
【図面の簡単な説明】
【００７４】
【図１】（Ａ）は本発明の第１実施形態に係る収納ケースの「収納位置」における構成を示す概略的な側面図であり、（Ｂ）はこの収納ケースの「収納位置」における構成を示す概略的な正面図である。
【図２】（Ａ）は本発明の第１実施形態に係る収納ケースの「引出位置」における構成を示す概略的な側面図であり、（Ｂ）はこの収納ケースの「引出位置」における構成を示す概略的な正面図である。
【図３】（Ａ）は本発明の第２実施形態に係る収納ケースの「収納位置」における構成を示す概略的な側面図であり、（Ｂ）はこの収納ケースの「収納位置」における構成を示す概略的な正面図である。
【図４】（Ａ）は本発明の第２実施形態に係る収納ケースの「引出位置」における構成を示す概略的な側面図であり、（Ｂ）はこの収納ケースの「引出位置」における構成を示す概略的な正面図である。
【図５】（Ａ）は本発明の第３実施形態に係る収納ケースの「収納位置」における構成を示す概略的な側面図であり、（Ｂ）はこの収納ケースの「収納位置」における構成を示す概略的な正面図である。
【図６】（Ａ）は本発明の第３実施形態に係る収納ケースの「引出位置」における構成を示す概略的な側面図であり、（Ｂ）はこの収納ケースの「引出位置」における構成を示す概略的な正面図である。
【符号の説明】
【００７５】
１０    収納ケース
１２    ケース本体
１４    前面パネル
１６    ロープ（可撓性長尺体、スライド連動機構）
２４    配索調整部（スライド連動機構）
２６    巻付け回転体
２８    捻りコイルスプリング
４０    収納ケース
４２    ゼンマイばね（前後スライド補助手段）
４６    ゼンマイばね（上下スライド補助手段）
６０    収納ケース
６２    配索調整部
Ｄ      基台
Ｆ      床面
【図５】
2009234457.tif 000003
【図６】
2009234457.tif 000004
【図１】
2009234457.tif 000005
【図２】
2009234457.tif 000006
【図３】
2009234457.tif 000007
【図４】
2009234457.tif 000008